(57)【要約】【課題】公平性又は公正性の高い仮想通貨の取引を実現させること。【解決手段】本願に係る価格決定装置は、取得部と、決定部とを備える。取得部は、仮想通貨の取引において、各価格の売り数量と買い数量とからなる板情報を取得する。決定部は、取得部によって取得された板情報が所定の条件を満たす場合には、板寄せ方式により約定する価格を決定する。【選択図】図１
2020047122.tif 000002
【特許請求の範囲】
【請求項１】
仮想通貨の取引において、各価格の売り数量と買い数量とからなる板情報を取得する取得部と、
前記取得部によって取得された板情報が所定の条件を満たす場合には、板寄せ方式により約定する価格を決定する決定部と、
を備えたことを特徴とする価格決定装置。
【請求項２】
前記決定部は、
前記板情報の売り注文の価格と買い注文の価格とが交錯する場合には、前記価格を決定する
ことを特徴とする請求項１に記載の価格決定装置。
【請求項３】
前記決定部は、
前記板寄せ方式として、同時呼値ルールに基づく配分方式に基づいて前記価格を決定する
ことを特徴とする請求項１または請求項２に記載の価格決定装置。
【請求項４】
前記決定部は、
前記板寄せ方式として、時間優先の原則に基づく配分方式に基づいて前記価格を決定する
ことを特徴とする請求項１〜３のいずれか一つに記載の価格決定装置。
【請求項５】
前記取得部は、
仮想通貨の取引所が定める所定のタイミングにおける前記板情報を取得する
ことを特徴とする請求項１〜４のいずれか一つに記載の価格決定装置。
【請求項６】
前記取得部は、
寄りのタイミングにおける前記板情報を取得し、
前記決定部は、
前記寄りのタイミングにおける板情報が前記所定の条件を満たさない場合には、当該所定の条件を満たすタイミングまで前記価格の決定を待機する
ことを特徴とする請求項５に記載の価格決定装置。
【請求項７】
前記取得部は、
引けのタイミングにおける前記板情報を取得し、
前記決定部は、
前記引けのタイミングにおける板情報が前記所定の条件を満たさない場合には、後場の注文受付に移行する
ことを特徴とする請求項５に記載の価格決定装置。
【請求項８】
前記取得部は、
大引けのタイミングにおける前記板情報を取得し、
前記決定部は、
前記大引けのタイミングにおける板情報が前記所定の条件を満たさない場合には、ストップ配分方式に基づいて前記価格を決定する
ことを特徴とする請求項５に記載の価格決定装置。
【請求項９】
前記決定部は、
前記ストップ配分方式に基づいて前記価格を決定する場合には、当該ストップ配分後の成行残数量を失効させる
ことを特徴とする請求項８に記載の価格決定装置。
【請求項１０】
前記取得部は、
サーキットブレーカー解除時における前記板情報を取得し、
前記決定部は、
前記サーキットブレーカー解除時における板情報が前記所定の条件を満たさない場合には、時間優先の原則に基づいて前記価格を決定する
ことを特徴とする請求項１または請求項２に記載の価格決定装置。
【請求項１１】
前記決定部は、
前記取引の参加者ごとに前記数量を１単位ずつ配分する配分方式に基づいて前記価格を決定する
ことを特徴とする請求項１〜１０のいずれか一つに記載の価格決定装置。
【請求項１２】
前記取引の参加者の人数が所定の人数を満たした場合には、当該所定の人数を満たしたタイミングにおける当該参加者の注文に基づいて前記数量を配分する配分部と、をさらに備え、
前記決定部は、
前記配分部によって配分された前記数量以外の配分の注文を受け付けた場合には、時間優先の原則に基づいて前記価格を決定する
ことを特徴とする請求項１〜１１のいずれか一つに記載の価格決定装置。
【請求項１３】
コンピュータにより実行される価格決定方法であって、
仮想通貨の取引において、各価格の売り数量と買い数量とからなる板情報を取得する取得工程と、
前記取得工程によって取得された板情報が所定の条件を満たす場合には、板寄せ方式により約定する価格を決定する決定工程と、
を含んだことを特徴とする価格決定方法。
【請求項１４】
仮想通貨の取引において、各価格の売り数量と買い数量とからなる板情報を取得する取得手順と、
前記取得手順によって取得された板情報が所定の条件を満たす場合には、板寄せ方式により約定する価格を決定する決定手順と、
をコンピュータに実行させることを特徴とする価格決定プログラム。
【発明の詳細な説明】
【技術分野】
【０００１】
本発明は、価格決定装置、価格決定方法及び価格決定プログラムに関する。
【背景技術】
【０００２】
従来、株式市場などの証券市場において、板寄せ方式により約定値段を決定する技術が開示されている。また、多くの値段の売気配の数量および買気配の数量に変化があるタイミングにおいても、遅延なく利用者に売気配および買気配の情報を送信する技術が開示されている。
【先行技術文献】
【特許文献】
【０００３】
【特許文献１】特開２００８−１３００２０号公報
【発明の概要】
【発明が解決しようとする課題】
【０００４】
しかしながら、上記の従来技術では、株式市場などの証券市場において売買契約を成立させる技術に過ぎず、公平性又は公正性の高い仮想通貨の取引を実現させることができるとは限らなかった。
【０００５】
本願は、上記に鑑みてなされたものであって、公平性又は公正性の高い仮想通貨の取引を実現させることができる価格決定装置、価格決定方法及び価格決定プログラムを提供することを目的とする。
【課題を解決するための手段】
【０００６】
本願に係る価格決定装置は、仮想通貨の取引において、各価格の売り数量と買い数量とからなる板情報を取得する取得部と、前記取得部によって取得された板情報が所定の条件を満たす場合には、板寄せ方式により約定する価格を決定する決定部と、を備えたことを特徴とする。
【発明の効果】
【０００７】
実施形態の一態様によれば、公平性又は公正性の高い仮想通貨の取引を実現させることができるといった効果を奏する。
【図面の簡単な説明】
【０００８】
【図１】図１は、実施形態に係る価格決定処理の一例を示す図である。
【図２】図２は、実施形態に係る価格決定システムの構成例を示す図である。
【図３】図３は、実施形態に係る仮想通貨管理サーバの構成例を示す図である。
【図４】図４は、実施形態に係る価格決定装置の構成例を示す図である。
【図５】図５は、実施形態に係る板寄せ情報記憶部の一例を示す図である。
【図６】図６は、実施形態に係る価格決定処理の一例を示すフローチャートである。
【図７】図７は、価格決定装置の機能を実現するコンピュータの一例を示すハードウェア構成図である。
【発明を実施するための形態】
【０００９】
以下に、本願に係る価格決定装置、価格決定方法及び価格決定プログラムを実施するための形態（以下、「実施形態」と呼ぶ）について図面を参照しつつ詳細に説明する。なお、この実施形態により本願に係る価格決定装置、価格決定方法及び価格決定プログラムが限定されるものではない。また、以下の各実施形態において同一の部位には同一の符号を付し、重複する説明は省略される。
【００１０】
（実施形態）
〔１．価格決定処理の一例〕
まず、図１を用いて、実施形態に係る価格決定処理の一例について説明する。図１は、実施形態に係る価格決定処理の一例を示す図である。図１では、実施形態に係る価格決定処理が価格決定装置１００により実行される例を示す。下記実施形態では、仮想通貨の取引所が定める所定のタイミングで板寄せを行う場合を示す。なお、下記実施形態では、板寄せを行う一日の所定のタイミングが６：５０ＡＭと、７：００ＡＭと、１５：５０ＰＭと、１６：００ＰＭとである場合を示しているが、これらの所定のタイミングに限定されることなく、どのタイミングで板寄せを行ってもよいものとする。例えば、下記実施形態では、サーキットブレーカー解除時など不特定のタイミングで板寄せを行ってもよいものとする。また、下記実施形態では、板寄せを行う一日の回数に制限はないものとする。なお、下記実施形態では、１５：５０ＰＭおよび１６：００ＰＭは、それぞれ午後３：５０および午後４：００を示すものとする。
【００１１】
なお、下記実施形態では、７：００ＡＭを前場（以下、適宜「デイセッション」とよぶ）の寄りのタイミング、１５：５０ＰＭを前場の引けのタイミング、１６：００ＰＭを後場（以下、適宜「ナイトセッション」とよぶ）の寄りのタイミング、翌日の６：５０ＡＭを大引けのタイミングとする。また、下記実施形態では、一例として取引の日付の区切りが７：００ＡＭとする。例えば、下記実施形態では、Ｄ１日の仮想通貨の取引は、Ｄ１日の７：００ＡＭからＤ２日の６：５０ＡＭまでとする。なお、下記実施形態では、売り注文と買い注文の価格が交錯する（又は、オーバーラップする）場合を、以下適宜「板寄せ可能な場合」とよぶ。また、下記実施形態では、売り注文と買い注文の価格が交錯しない場合を、以下適宜「板寄せ不可能な場合」とよぶ。そして、下記実施形態では、板寄せ可能な場合であるが売り注文と買い注文との間で約定する価格を決定できない場合を、以下適宜「板寄せ不成立な場合」とよぶ。また、下記実施形態では、板寄せ可能な場合であって約定する価格を決定できる場合を、以下適宜「板寄せ成立の場合」とよぶ。そして、下記実施形態では、板寄せ不可能な場合と、板寄せ不成立な場合とを総合して「板寄せできない場合」とよぶ。なお、下記実施形態では、売り注文と買い注文とに基づいて約定する価格を、以下適宜「約定価格」とよぶ。また、下記実施形態では、注文は、証券市場の取引において一般的に使われる方法（例えば、指値、成行、逆指値など）により行われるものとする。なお、下記実施形態では、売り注文と買い注文の価格が交錯する場合には、成行注文も含まれるものとする。
【００１２】
図１では、価格決定装置１００は、所定のタイミングである６：５０ＡＭと、７：００ＡＭと、１５：５０ＰＭと、１６：００ＰＭにおいて板寄せを行う例を示す。また、価格決定装置１００は、仮想通貨の各価格の売り数量と買い数量とからなる板情報に基づいて約定価格を決定する例を示す。図１では、具体例として、板寄せ可能な場合であって板寄せ成立の場合と、板寄せ不可能な場合とを示す。図１では、板寄せ成立の場合には、板寄せに基づいて約定価格を決定する例を示す。また、図１では、価格決定装置１００は、板寄せ不可能な場合には、寄りのタイミング、引けのタイミング、または大引けのタイミングの各々に対応する所定のルールに基づいて約定価格を決定する例を示す。なお、図１に示されていないが、価格決定装置１００は、板寄せ不成立な場合においても同様に、寄りのタイミング、引けのタイミング、または大引けのタイミングの各々に対応する所定のルールに基づいて約定価格を決定してもよいものとする。
【００１３】
〔価格決定システムの構成〕
図１の説明に先立って、図２を用いて価格決定システム１の構成について説明する。図２は、実施形態に係る価格決定システムの構成例を示す図である。図２に示すように、価格決定システム１では、価格決定装置１００と、仮想通貨管理サーバ２００とが含まれる。価格決定装置１００と、仮想通貨管理サーバ２００とは所定のネットワークＮを介して、有線または無線により通信可能に接続される。なお、図２に示した価格決定システム１には、複数台の価格決定装置１００や、複数台の仮想通貨管理サーバ２００が含まれてもよい。
【００１４】
価格決定装置１００は、仮想通貨の売り注文と買い注文とに基づいて約定価格を決定する情報処理装置である。具体的には、価格決定装置１００は、仮想通貨の各価格の売り数量と買い数量とからなる板情報に基づいて約定価格を決定する。例えば、価格決定装置１００は、板寄せに基づいて約定価格を決定する。
【００１５】
仮想通貨管理サーバ２００は、仮想通貨の取引所で、仮想通貨の取引を管理する情報処理装置である。例えば、仮想通貨管理サーバ２００は、仮想通貨の注文を受け付ける。例えば、仮想通貨管理サーバ２００は、仮想通貨の売り注文または買い注文を受け付ける。例えば、仮想通貨管理サーバ２００は、９９０円で１０単位売りたいといった売り注文を受け付ける。また、仮想通貨管理サーバ２００は、価格決定装置１００により決定された約定価格を先物取引の清算価格として受け付ける。
【００１６】
なお、図２では、価格決定装置１００と仮想通貨管理サーバ２００とは、別装置である場合を示したが、価格決定装置１００と仮想通貨管理サーバ２００とが一体であってもよい。また、価格決定装置１００と仮想通貨管理サーバ２００は、それぞれ同一とみなされる管理者によって管理されていてもよい。
【００１７】
図１の説明に戻る。図１の例では、価格決定装置１００が、８月２９日の仮想通貨の取引における板寄せを行う場合を示す。具体的には、価格決定装置１００は、８月２９日の６：５０ＡＭと、７：００ＡＭと、１５：５０ＰＭと、１６：００ＰＭの所定のタイミングで板寄せを行う場合を示す。図１では、７：００ＡＭから１５：５０ＰＭをセッション１として、デイセッションの期間を示す。また、図１では、１６：００ＰＭから翌日８月３０日の６：５０ＡＭをセッション２として、ナイトセッションの期間を示す。また、図１では、セッション１とセッション２との間を取引停止の期間として示す。
【００１８】
図１に示すチャートＸ１は、所定のタイミングにおける板寄せ成立の場合の板情報を示す。例えば、図１に示すチャートＸ１は、１０３０円で１５０単位の売数量があることを示す。また、図１に示すチャートＸ１は、１０２０円で１０単位の売数量があることを示す。また、図１に示すチャートＸ１は、１０００円で１３０単位の売数量があることを示す。また、図１に示すチャートＸ１は、９９０円で３０単位の売数量があることを示す。また、図１に示すチャートＸ１は、最も安い売りの価格である９９０円が売最良気配ＢＱＳ１であることを示す。
【００１９】
また、図１に示すチャートＸ１は、１０１０円で４０単位の買数量があることを示す。また、図１に示すチャートＸ１は、１０００円で７０単位の買数量があることを示す。また、図１に示すチャートＸ１は、９９０円で２０単位の買数量があることを示す。また、図１に示すチャートＸ１は、９８０円で５０単位の買数量があることを示す。また、図１に示すチャートＸ１は、９６０円で１００単位の買数量があることを示す。図１に示すチャートＸ１は、最も高い買いの価格である１０１０円が買最良気配ＢＱＯ１であることを示す。そして、図１に示すチャートＸ１は、９９０円から１０１０円の価格において売り注文と買い注文の価格が交錯することを示す。つまり、図１に示すチャートＸ１は、９９０円から１０１０円の価格において板寄せが可能であることを示す。なお、図１に示すチャートＸ１では、板寄せを行うと、１０００円の価格で５０単位の売数量が残ることから、約定価格は１０００円であることを示す。
【００２０】
図１に示すチャートＸ２は、所定のタイミングにおける板寄せ不可能な場合の板情報を示す。例えば、図１に示すチャートＸ２は、１０３０円で１５０単位の売数量があることを示す。また、図１に示すチャートＸ２は、１０２０円で１０単位の売数量があることを示す。また、図１に示すチャートＸ２は、最も安い売りの価格である１０２０円が売最良気配ＢＱＳ２であることを示す。
【００２１】
また、図１に示すチャートＸ２は、９９０円で２０単位の買数量があることを示す。また、図１に示すチャートＸ２は、９８０円で５０単位の買数量があることを示す。また、図１に示すチャートＸ１は、９６０円で１００単位の買数量があることを示す。図１に示すチャートＸ１は、最も高い買いの価格である９９０円が買最良気配ＢＱＯ２であることを示す。
【００２２】
図１に示すルールＲ１は、寄りのタイミングにおいて板寄せができない場合（板寄せ不可能または板寄せ不成立の場合）のルールを示す。図１に示すルールＲ１は、板寄せができるタイミングまで待機することを示す。図１に示すルールＲ１は、例えば７：００ＡＭの寄りのタイミングで板寄せができない場合には、板寄せができるタイミングＴＸ１まで待機することを示す。
【００２３】
図１に示すルールＲ２は、引けのタイミングにおいて板寄せができない場合のルールを示す。図１に示すルールＲ２は、後場の取引に移行することを示す。図１に示すルールＲ２は、例えば１５：５０ＰＭの引けのタイミングで板寄せができない場合には、１６：００ＰＭからの後場の取引に移行することを示す。なお、図１に示すルールＲ２は、１６：００ＰＭの寄りのタイミングにおける板寄せを行わないことを示す。
【００２４】
図１に示すルールＲ３は、大引けのタイミングにおいて板寄せができない場合のルールを示す。図１に示すルールＲ３は、ストップ配分を行うことを示す。図１に示すルールＲ３は、例えば６：５０ＡＭの大引けのタイミングで板寄せができない場合には、ストップ配分に基づいて約定価格を決定することを示す。また、図１に示すルールＲ３は、ストップ配分後の成行残数量を失効させることを示す。例えば、図１に示すルールＲ３は、ストップ配分後に成行注文の売り数量が残った場合には、売り数量の成行残数量を失効させることを示す。
【００２５】
以下、図１を用いて、価格決定処理の一例を説明する。価格決定装置１００は、板寄せする所定のタイミングにおける板情報を取得する。例えば、価格決定装置１００は、７：００ＡＭの寄りのタイミングにおける板情報を取得する。価格決定装置１００は、取得した板情報に基づいて板寄せが可能か否かを判定する。価格決定装置１００は、板寄せが可能な場合であって板寄せが成立する場合には、板寄せに基づいて約定価格を決定する。図１に示す例では、価格決定装置１００は、約定価格を１０００円とする。また、価格決定装置１００は、寄りのタイミングにおいて板寄せができない場合には、板寄せができるタイミングまで待機する。そして、価格決定装置１００は、板寄せができるタイミングでの板寄せに基づいて約定価格を決定する。また、価格決定装置１００は、引けのタイミングにおいて板寄せができない場合には、約定価格を決定しない。この場合には、価格決定装置１００は、約定価格を決定しないで後場の取引に移行する。また、価格決定装置１００は、大引けのタイミングにおいて板寄せができない場合には、ストップ配分に基づいて約定価格を決定する。この場合には、価格決定装置１００は、ストップ配分後の成行残数量を失効させる。
【００２６】
〔２．仮想通貨管理サーバの構成〕
次に、図３を用いて、実施形態に係る仮想通貨管理サーバ２００の構成について説明する。図３は、実施形態に係る仮想通貨管理サーバ２００の構成例を示す図である。図３に示すように、仮想通貨管理サーバ２００は、通信部２１０と、注文情報記憶部２２０と、制御部２３０とを有する。なお、仮想通貨管理サーバ２００は、仮想通貨管理サーバ２００の管理者から各種操作を受け付ける入力部（例えば、キーボードやマウス等）や、各種情報を表示するための表示部（例えば、液晶ディスプレイ等）を有してもよい。
【００２７】
（通信部２１０）
通信部２１０は、例えば、ＮＩＣ（Network  Interface  Card）等によって実現される。そして、通信部２１０は、ネットワークＮと有線又は無線で接続され、ネットワークＮを介して、価格決定装置１００との間で情報の送受信を行う。
【００２８】
（注文情報記憶部２２０）
注文情報記憶部２２０は、例えば、ＲＡＭ（Random  Access  Memory）、フラッシュメモリ等の半導体メモリ素子、または、ハードディスク、光ディスク等の記憶装置によって実現される。注文情報記憶部２２０は、仮想通貨の売り注文および買い注文に関する情報を記憶する。例えば、注文情報記憶部２２０は、各価格の売り数量と買い数量とを記憶する。例えば、注文情報記憶部２２０は、成行の売り数量と買い数量とを記憶する。また、注文情報記憶部２２０は、記憶された売り注文および買い注文に関する情報をリアルタイムで更新する。
【００２９】
（制御部２３０）
制御部２３０は、コントローラであり、例えば、ＣＰＵ（Central  Processing  Unit）やＭＰＵ（Micro  Processing  Unit）等によって、仮想通貨管理サーバ２００内部の記憶装置に記憶されている各種プログラムがＲＡＭを作業領域として実行されることにより実現される。また、制御部２３０は、コントローラであり、例えば、ＡＳＩＣ（Application  Specific  Integrated  Circuit）やＦＰＧＡ（Field  Programmable  Gate  Array）等の集積回路により実現される。
【００３０】
図３に示すように、制御部２３０は、送信部２３１と、受信部２３２と、配分部２３３と、更新部２３４とを有し、以下に説明する情報処理の作用を実現または実行する。
【００３１】
（送信部２３１）
送信部２３１は、取引所が定める所定のタイミングになると、仮想通貨の売り注文および買い注文に関する情報を価格決定装置１００に送信する。例えば、送信部２３１は、注文情報記憶部２２０に記憶された売り注文および買い注文に関する情報を価格決定装置１００に送信する。具体的な例を挙げると、送信部２３１は、売り数量と買い数量とからなる板情報を価格決定装置１００に送信する。図１に示す例では、送信部２３１は、チャートＸ１やチャートＸ２に示される情報を価格決定装置１００に送信する。
【００３２】
（受信部２３２）
受信部２３２は、価格決定装置１００により決定された情報を受信する。例えば、受信部２３２は、約定価格に関する情報を価格決定装置１００から受信する。具体的には、受信部２３２は、板情報に基づいて決定された約定価格に関する情報を受信する。例えば、受信部２３２は、板寄せに基づいて決定された約定価格に関する情報を受信する。例えば、受信部２３２は、ストップ配分に基づいて決定された約定価格に関する情報を受信する。また、受信部２３２は、板寄せができない旨の情報を受信してもよい。また、受信部２３２は、約定価格を決定しない旨の情報を受信してもよい。
【００３３】
（配分部２３３）
配分部２３３は、受信部２３２により受信された情報に基づいて配分を行う。例えば、配分部２３３は、価格決定装置１００により決定された情報に基づいて売り注文および買い注文の数量の配分を行う。
【００３４】
（更新部２３４）
更新部２３４は、売り注文および買い注文に関する情報をリアルタイムで更新する。例えば、注文情報記憶部２２０に記憶された売り注文および買い注文に関する情報をリアルタイムで更新する。
【００３５】
〔３．価格決定装置の構成〕
次に、図４を用いて、実施形態に係る価格決定装置１００の構成について説明する。図４は、実施形態に係る価格決定装置１００の構成例を示す図である。図４に示すように、価格決定装置１００は、通信部１１０と、記憶部１２０と、制御部１３０とを有する。なお、価格決定装置１００は、価格決定装置１００の管理者から各種操作を受け付ける入力部（例えば、キーボードやマウス等）や、各種情報を表示するための表示部（例えば、液晶ディスプレイ等）を有してもよい。
【００３６】
（通信部１１０）
通信部１１０は、例えば、ＮＩＣ等によって実現される。そして、通信部１１０は、ネットワークＮと有線又は無線で接続され、ネットワークＮを介して、仮想通貨管理サーバ２００との間で情報の送受信を行う。
【００３７】
（記憶部１２０）
記憶部１２０は、例えば、ＲＡＭ、フラッシュメモリ等の半導体メモリ素子、または、ハードディスク、光ディスク等の記憶装置によって実現される。図４に示すように、記憶部１２０は、板情報記憶部１２１と、板寄せ情報記憶部１２２とを有する。
【００３８】
板情報記憶部１２１は、板情報に関する情報を記憶する。例えば、板情報記憶部１２１は、仮想通貨管理サーバ２００により送信された板情報に関する情報を記憶する。例えば、板情報記憶部１２１は、各価格の売り数量および買い数量に関する情報を記憶する。例えば、板情報記憶部１２１は、価格１の売り数量および買い数量に関する情報を記憶する。例えば、板情報記憶部１２１は、ストップ高およびストップ安に関する情報を記憶する。例えば、板情報記憶部１２１は、成行注文に関する情報を記憶する。このように、板情報記憶部１２１は、「板ＩＤ」、「ストップ高」、「成行買い」、「価格１売り」、「価格１買い」、「価格２売り」、「価格２買い」、・・・、「成行売り」、「ストップ安」といった項目を有してもよい。この場合には、「板ＩＤ」は、板情報を識別するための識別情報を示す。「ストップ高」は、ストップ高の価格を示す。「成行買い」は、成行注文の買い数量を示す。「価格１売り」は、価格１の売り数量を示す。「価格１買い」は、価格１の買い数量を示す。「価格２売り」は、価格２の売り数量を示す。「価格２買い」は、価格２の買い数量を示す。「成行売り」は、成行注文の売り数量を示す。「ストップ安」は、ストップ安の価格を示す。
【００３９】
板寄せ情報記憶部１２２は、板寄せの結果に関する情報を記憶する。例えば、板寄せ情報記憶部１２２は、板情報に基づいて決定された約定価格に関する情報を記憶する。ここで、図５に、実施形態に係る板寄せ情報記憶部１２２の一例を示す。図５に示すように、板寄せ情報記憶部１２２は、「板寄せＩＤ」、「板ＩＤ」、「板情報」、「板寄せ結果」、「約定価格」、「日付」、「タイミング」といった項目を有する。
【００４０】
「板寄せＩＤ」は、板寄せ結果を識別するための識別情報を示す。「板ＩＤ」は、板情報を識別するための識別情報を示す。「板情報」は、「板ＩＤ」に対応する板情報を示す。「板情報」は、各価格の売り数量と買い数量とからなる板情報を示す。図５の例では、「板情報」に「Ａ１」や「Ａ２」といった概念的な情報が格納される例を示したが、実際には、各価格の売り数量と買い数量とからなるデータが記憶される。「板寄せ結果」は、板寄せ可能／板寄せ成立であるか、板寄せ可能／板寄せ不成立であるか、板寄せ不可能であるかを示す。「約定価格」は、板寄せ結果に基づいて約定する価格を示す。「タイミング」は、板寄せのタイミングを示す。「日付」は、取引の日付を示す。
【００４１】
（制御部１３０）
図４の説明に戻って、制御部１３０は、コントローラであり、例えば、ＣＰＵやＭＰＵ等によって、価格決定装置１００内部の記憶装置に記憶されている各種プログラムがＲＡＭを作業領域として実行されることにより実現される。また、制御部１３０は、コントローラであり、例えば、ＡＳＩＣやＦＰＧＡ等の集積回路により実現される。
【００４２】
図４に示すように、制御部１３０は、要求部１３１と、取得部１３２と、判定部１３３と、決定部１３４と、失効部１３５と、配分部１３６と、送信部１３７とを有し、以下に説明する情報処理の作用を実現または実行する。なお、制御部１３０の内部構成は、図４に示した構成に限られず、後述する情報処理を行う構成であれば他の構成であってもよい。
【００４３】
（要求部１３１）
要求部１３１は、仮想通貨管理サーバ２００に対して、仮想通貨の売り注文および買い注文に関する情報を送信するよう要求する。要求部１３１は、取引所が定める所定のタイミングで板情報を送信するよう要求する。図１に示す例では、例えば８月２９日７：００ＡＭの寄りのタイミングで板情報を送信するよう要求する。
【００４４】
（取得部１３２）
取得部１３２は、仮想通貨管理サーバ２００から送信された仮想通貨の売り注文および買い注文に関する情報を取得する。取得部１３２は、仮想通貨の取引において、各価格の売り数量と買い数量とからなる板情報を取得する。また、取得部１３２は、仮想通貨の取引所が定める所定のタイミングにおける板情報を取得する。例えば、取得部１３２は、寄りのタイミングにおける板情報を取得する。例えば、取得部１３２は、引けのタイミングにおける板情報を取得する。例えば、取得部１３２は、大引けのタイミングにおける板情報を取得する。例えば、取得部１３２は、サーキットブレーカー解除時における板情報を取得する。図１に示す例では、取得部１３２は、チャートＸ１またはチャートＸ２に示される情報を取得する。
【００４５】
取得部１３２は、前日の終値または最終気配値などの基準値を取得してもよい。例えば、取得部１３２は、ＤＣＢ（Dynamic  Circuit  Breaker）時には、直前の基準となるＤＣＢ基準値を取得してもよい。また、取得部１３２は、売り注文または買い注文が全くない場合には、その日の基準値を翌日の基準値として取得してもよい。また、取得部１３２は、売り気配のみの場合には、その日の売最良気配値と基準値のうち低い方を、翌日の基準値として取得してもよい。また、取得部１３２は、買い気配のみの場合には、その日の買最良気配値と基準値のうち高い方を、翌日の基準値として取得してもよい。また、取得部１３２は、売り注文と買い注文との両方に指値による注文があり指値の価格が交錯しない場合には、売最良気配値と買最良気配値との中間の価格を示す仲値を、翌日の基準値として取得してもよい。
【００４６】
（判定部１３３）
判定部１３３は、取得部１３２によって取得された板情報が所定の条件を満たすか否かを判定する。例えば、判定部１３３は、取得部１３２によって取得された板情報が板寄せ可能か否かを判定する。例えば、判定部１３３は、板情報の売最良気配値が買最良気配値以下となるか否かを判定する。また、判定部１３３は、板情報の売最良気配値が買最良気配値以下とならない場合には、板寄せ不可能であると判定する。この場合には、判定部１３３は、寄りのタイミング、引けのタイミング、または大引けのタイミングの各々に対応する所定のルールに基づいて約定価格を決定すると判定する。また、判定部１３３は、板寄せ不可能な場合には、ザラ場に移行すると判定してもよい。例えば、判定部１３３は、寄りのタイミング、引けのタイミング、または大引けのタイミングの各々に対応する所定のルールに基づいても約定価格を決定できない場合には、ザラ場に移行すると判定してもよい。
【００４７】
判定部１３３は、板寄せが成立するか不成立であるかを判定する。判定部１３３は、成行の売り注文と成行の買い注文の全てが約定するか否かを判定する。つまり、判定部１３３は、成行の売り注文または成行の買い注文に残りがでるか否かを判定する。ここで、判定部１３３は、成行注文が残る場合には特別気配を判定してもよい。また、判定部１３３は、約定価格より高い買い注文と、約定価格より低い売り注文の全てが約定するか否かを判定する。図１のチャートＸ１に示す例では、判定部１３３は、約定値段である１０００円より高い注文である１０１０円の４０単位と、約定価格より低い注文である９９０円の３０単位の全てが約定するか否かを判定する。この例では、判定部１３３は、１０１０円の買い注文の４０単位が９９０円の売り注文の３０単位と１０００円の売り注文の１０単位で全て約定すると判定する。
【００４８】
また、判定部１３３は、約定価格において、売り注文または買い注文のいずれか一方の全てが約定するか否かを判定する。図１のチャートＸ１に示す例では、判定部１３３は、１０１０円の買い注文の４０単位と、１０００円の買い注文の７０単位とが、１０００円の売り注文の１１０単位で全て約定すると判定する。また、判定部１３３は、板寄せが成立する場合の約定価格の候補が複数ある場合には、直近約定価格に近い価格を約定価格と判定してもよい。例えば、判定部１３３は、前場の終値または直近で約定がない場合には基準価格を直近約定価格として約定価格を判定してもよい。図１のチャートＸ２に示す例では、判定部１３３は、例えば１０００円を直近約定価格と判定してもよい。また、判定部１３３は、板寄せが不成立である場合には、ザラ場に移行せずに注文の受付を継続すると判定してもよい。例えば、判定部１３３は、寄りのタイミングまたはサーキットブレーカー解除時において板寄せが不成立である場合には、板寄せができるまで待機すると判定してもよい。
【００４９】
（決定部１３４）
決定部１３４は、判定部１３３による判定結果に基づいて約定価格を決定する。例えば、決定部１３４は、判定部１３３により板寄せが可能と判定された場合には、板寄せにより約定価格を決定する。つまり、決定部１３４は、取得部１３２によって取得された板情報が所定の条件を満たす場合には、板寄せにより約定価格を決定する。また、決定部１３４は、板情報の売り注文の価格と買い注文の価格とが交錯する場合に約定価格を決定する。なお、決定部１３４は、売り注文と買い注文の価格が交錯する場合には、成行注文を含めてもよい。例えば、決定部１３４は、指値による売り注文と買い注文の価格が交錯しなくても、売り注文または買い注文に成行注文がある場合には、約定価格を決定する。
【００５０】
決定部１３４は、板情報の売最良気配値が買最良気配値以下となる場合には、板寄せにより約定価格を決定する。例えば、決定部１３４は、売り注文と買い注文の価格が交錯しない場合には、寄りのタイミング、引けのタイミング、または大引けのタイミングの各々に対応する所定のルールに基づいて約定価格を決定する。また、決定部１３４は、売り注文と買い注文の価格が交錯しない場合には、ザラ場に移行すると決定してもよい。例えば、決定部１３４は、売り注文または買い注文が全くない場合にも、ザラ場に移行すると決定してもよい。また、決定部１３４は、判定部１３３によって板寄せができないと判定された場合には、板寄せができるまで待機して、板寄せ可能なタイミングで約定価格を決定してもよい。また、決定部１３４は、成行の売り注文または買い注文に残りがでる場合には、特別気配を決定してもよい。この場合には、決定部１３４は、特別気配を示す称号を板情報に付与することを決定してもよい。
【００５１】
決定部１３４は、判定部１３３による判定結果として、寄りのタイミングにおける板情報が所定の条件を満たさない場合には、所定の条件を満たすタイミングまで約定価格の決定を待機する。例えば、決定部１３４は、寄りのタイミングにおける板情報が、板寄せできないと判定された場合には、板寄せ可能なタイミングまで約定価格の決定を待機する。決定部１３４は、判定部１３３による判定結果として、引けのタイミングにおける板情報が所定の条件を満たさない場合には、後場の注文受付に移行する。
【００５２】
決定部１３４は、同時呼値配分方式に基づいて約定価格を決定する。例えば、決定部１３４は、同時呼値配分方式に基づく板寄せに基づいて約定価格を決定する。決定部１３４は、時間優先の原則に基づいて約定価格を決定する。例えば、決定部１３４は、時間優先の原則が適用された板寄せに基づいて約定価格を決定する。また、例えば、決定部１３４は、時間優先の原則が適用された同時呼値配分方式に基づく板寄せに基づいて約定価格を決定する。決定部１３４は、前場の寄りのタイミング、前場の引けのタイミング、及び、後場の寄りのタイミングでの板寄せは、同時呼値配分方式に基づいて約定価格を決定する。
【００５３】
決定部１３４は、後場の大引けのタイミングでの板寄せは、同時呼値配分方式に基づいて約定価格を決定する。決定部１３４は、同時呼値配分後に、成行注文が残る場合には、ストップ配分方式に基づいて約定価格を決定する。つまり、決定部１３４は、判定部１３３による判定結果として、大引けのタイミングにおける板情報が所定の条件を満たさない場合には、ストップ配分方式に基づいて約定価格を決定する。また、決定部１３４は、ストップ配分方式に基づいて約定価格を決定する場合には、ストップ配分後の成行残数量を失効させる。
【００５４】
決定部１３４は、寄りのタイミングまたは大引けのタイミングにおける板情報が所定の条件を満たさない場合には、板寄せに関する所定の条件を緩和して約定価格を決定してもよい。例えば、決定部１３４は、配分に関する条件を緩和して約定価格を決定してもよい。また、決定部１３４は、所定の条件を緩和しても約定価格を決定できない場合には、約定処理はしないものの、ザラ場に移行すると決定してもよい。また、この場合には、決定部１３４は、売り注文と買い注文との中値を始値乃至終値と決定してもよい。
【００５５】
決定部１３４は、判定部１３３による判定結果として、サーキットブレーカー解除時における板情報が所定の条件を満たさない場合には、時間優先の原則に基づいて約定価格を決定する。決定部１３４は、サーキットブレーカー解除時の板寄せは、同時呼値配分方式を適用しない。
【００５６】
決定部１３４は、取引の参加者ごとの配分方式に基づいて約定価格を決定する。例えば、決定部１３４は、取引の参加者ごとに数量を１単位ずつ配分する配分方式に基づいて約定価格を決定する。例えば、決定部１３４は、所定の参加者から１０単位の買い注文を受け付けた場合には、受け付けられた１０単位を１単位の注文として数量の１単位を配分すると決定する。また、決定部１３４は、取引の参加者の人数が所定の人数を満たした場合には、所定の人数を満たしたタイミングにおける参加者の注文に基づいて数量の配分を決定する。そして、決定部１３４は、配分された数量以外の配分の注文を受け付けた場合には、時間優先の原則に基づいて約定価格を決定する。
【００５７】
（失効部１３５）
失効部１３５は、売り注文または買い注文の残数量を失効させる。例えば、失効部１３５は、ストップ配分後の成行残数量を失効させる。具体的には、失効部１３５は、大引けのタイミングでの板寄せにおける同時呼値配分後に成行注文が残る場合には、ストップ配分を行い、ストップ配分後に成行注文が残る場合には、ストップ配分後の成行残数量を失効させてもよい。
【００５８】
（配分部１３６）
配分部１３６は、取引の参加者の人数が所定の人数を満たした場合には、所定の人数を満たしたタイミングにおける参加者の注文に基づいて数量を配分する。例えば、配分部１３６は、所定の参加者の人数からの注文が入ったタイミングで売数量または買数量の配分を開始する。
【００５９】
（送信部１３７）
送信部１３７は、決定部１３４によって決定された情報を仮想通貨管理サーバ２００に送信する。例えば、送信部１３７は、決定部１３４によって決定された約定価格に関する情報を仮想通貨管理サーバ２００に送信する。例えば、送信部１３７は、後場の注文受付に移行する旨の情報を仮想通貨管理サーバ２００に送信してもよい。例えば、送信部１３７は、判定部１３３によって判定された判定結果を仮想通貨管理サーバ２００に送信してもよい。
【００６０】
〔４．価格決定処理のフロー〕
次に、図６を用いて、実施形態に係る価格決定システム１による価格決定処理の手順について説明する。図６は、実施形態に係る価格決定システム１による価格決定処理の手順を示すフローチャートである。
【００６１】
図６に示すように、価格決定装置１００は、所定のタイミングにおける板情報を取得する（ステップＳ１０１）。具体的には、価格決定装置１００は、寄りのタイミング、引けのタイミング、または、大引けのタイミングにおける板情報を取得する。続いて、価格決定装置１００は、取得した板情報に基づいて板寄せ可能か否かを判定する（ステップＳ１０２）。例えば、価格決定装置１００は、取得した板情報に基づいて、売り注文と買い注文の価格が交錯するか否かを判定する。
【００６２】
続いて、価格決定装置１００は、板寄せが可能であると判定された場合（ステップＳ１０２；Ｙｅｓ）、約定価格が決定するか否かを判定する（ステップＳ１０３）。例えば、価格決定装置１００は、成行の売り注文と買い注文の全てが約定するか否かを判定する。ここで、価格決定装置１００は、板寄せが不成立であると判定された場合（ステップＳ１０３；Ｎｏ）、所定のタイミングに対応する各々のルールに基づいて約定価格を決定する（ステップＳ１０５）。例えば、価格決定装置１００は、寄りのタイミングにおいて成行が残る場合には、板寄せができるまで注文受付を継続する。続いて、価格決定装置１００は、板寄せが成立すると判定された場合（ステップＳ１０３；Ｙｅｓ）、板寄せに基づいて約定価格を決定する（ステップＳ１０４）。
【００６３】
なお、価格決定装置１００は、板寄せが不可能であると判定された場合（ステップＳ１０２；Ｎｏ）、板寄せが不成立であると判定された場合と同様の処理手順を行ってもよい。つまり、価格決定装置１００は、板寄せが不可能であると判定された場合、所定のタイミングに対応する各々のルールに基づいて約定価格を決定してもよい。
【００６４】
〔５．効果〕
上述してきたように、実施形態に係る価格決定装置１００は、取得部１３２と、決定部１３４を有する。取得部１３２は、仮想通貨の取引において、各価格の売り数量と買い数量とからなる板情報を取得する。決定部１３４は、取得部１３２によって取得された板情報が所定の条件を満たす場合には、板寄せ方式により約定する価格を決定する。
【００６５】
これにより、実施形態に係る価格決定装置１００は、仮想通貨の取引において板寄せの仕組みを導入することで、より公平性又は公正性の高い仮想通貨の取引を実現させることができる。また、実施形態に係る価格決定装置１００は、仮想通貨の取引において板寄せの仕組みを導入することで、価格操作がしにくい仮想通貨の取引を実現させることができる。
【００６６】
また、決定部１３４は、板情報の売り注文の価格と買い注文の価格とが交錯する場合には、価格を決定する。
【００６７】
これにより、実施形態に係る価格決定装置１００は、売りと買いとの価格が乖離して約定しない状態が続くのを回避することができる。
【００６８】
また、決定部１３４は、板寄せ方式として、同時呼値ルールに基づく配分方式に基づいて価格を決定する。
【００６９】
これにより、実施形態に係る価格決定装置１００は、より公平性又は公正性の高い仮想通貨の取引を実現させることができる。
【００７０】
また、決定部１３４は、板寄せ方式として、時間優先の原則に基づく配分方式に基づいて価格を決定する。
【００７１】
これにより、実施形態に係る価格決定装置１００は、約定させる処理スピードを向上させることができる。
【００７２】
また、取得部１３２は、仮想通貨の取引所が定める所定のタイミングにおける板情報を取得する。
【００７３】
これにより、実施形態に係る価格決定装置１００は、所定のタイミングにおける板寄せを行うことができる。
【００７４】
また、取得部１３２は、寄りのタイミングにおける板情報を取得する。決定部１３４は、寄りのタイミングにおける板情報が所定の条件を満たさない場合には、所定の条件を満たすタイミングまで価格の決定を待機する。
【００７５】
これにより、実施形態に係る価格決定装置１００は、寄りのタイミングにおける約定価格決定の処理を効率的に行うことができる。
【００７６】
また、取得部１３２は、引けのタイミングにおける板情報を取得する。決定部１３４は、引けのタイミングにおける板情報が所定の条件を満たさない場合には、後場の注文受付に移行する。
【００７７】
これにより、実施形態に係る価格決定装置１００は、引けのタイミングにおける約定価格決定の処理を効率的に行うことができる。
【００７８】
また、取得部１３２は、大引けのタイミングにおける板情報を取得する。決定部１３４は、大引けのタイミングにおける板情報が所定の条件を満たさない場合には、ストップ配分方式に基づいて価格を決定する。
【００７９】
これにより、実施形態に係る価格決定装置１００は、大引けのタイミングにおける約定価格決定の処理を効率的に行うことができる。
【００８０】
また、決定部１３４は、ストップ配分方式に基づいて価格を決定する場合には、ストップ配分後の成行残数量を失効させる。
【００８１】
これにより、実施形態に係る価格決定装置１００は、大引けのタイミングにおける約定価格決定の処理をより効率的に行うことができる。
【００８２】
また、取得部１３２は、サーキットブレーカー解除時における板情報を取得する。決定部１３４は、サーキットブレーカー解除時における板情報が所定の条件を満たさない場合には、時間優先の原則に基づいて価格を決定する。
【００８３】
これにより、実施形態に係る価格決定装置１００は、サーキットブレーカー解除時における約定価格決定の処理を効率的に行うことができる。
【００８４】
また、決定部１３４は、取引の参加者ごとに数量を１単位ずつ配分する配分方式に基づいて価格を決定する。
【００８５】
これにより、実施形態に係る価格決定装置１００は、取引参加者単位で注文を合計することができる。
【００８６】
また、実施形態に係る価格決定装置１００は、取引の参加者の人数が所定の人数を満たした場合には、所定の人数を満たしたタイミングにおける参加者の注文に基づいて数量を配分する配分部１３６を有する。また、決定部１３４は、配分部１３６によって配分された数量以外の配分の注文を受け付けた場合には、時間優先の原則に基づいて価格を決定する。
【００８７】
これにより、実施形態に係る価格決定装置１００は、約定させる処理スピードを向上させることができる。
【００８８】
〔６．ハードウェア構成〕
また、上述してきた実施形態に係る価格決定装置１００および仮想通貨管理サーバ２００は、例えば、図８に示すような構成のコンピュータ１０００によって実現される。図８は、価格決定装置１００および仮想通貨管理サーバ２００の機能を実現するコンピュータの一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【００８９】
ＣＰＵ１１００は、ＲＯＭ１３００またはＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【００９０】
ＨＤＤ１４００は、ＣＰＵ１１００によって実行されるプログラム、及び、かかるプログラムによって使用されるデータ等を格納する。通信インターフェイス１５００は、所定の通信網を介して他の機器からデータを受信してＣＰＵ１１００へ送り、ＣＰＵ１１００が生成したデータを所定の通信網を介して他の機器へ送信する。
【００９１】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、生成したデータを入出力インターフェイス１６００を介して出力装置へ出力する。
【００９２】
メディアインターフェイス１７００は、記録媒体１８００に格納されたプログラムまたはデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【００９３】
例えば、コンピュータ１０００が実施形態に係る価格決定装置１００および仮想通貨管理サーバ２００として機能する場合、コンピュータ１０００のＣＰＵ１１００は、ＲＡＭ１２００上にロードされたプログラムを実行することにより、制御部１３０および２３０の機能を実現する。コンピュータ１０００のＣＰＵ１１００は、これらのプログラムを記録媒体１８００から読み取って実行するが、他の例として、他の装置から所定の通信網を介してこれらのプログラムを取得してもよい。
【００９４】
〔７．その他〕
また、上記実施形態及び変形例において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【００９５】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【００９６】
また、上述してきた実施形態及び変形例は、処理内容を矛盾させない範囲で適宜組み合わせることが可能である。
【００９７】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【００９８】
また、上述してきた「部（section、module、unit）」は、「手段」や「回路」などに読み替えることができる。例えば、取得部は、取得手段や取得回路に読み替えることができる。
【符号の説明】
【００９９】
１  価格決定システム
１００  価格決定装置
１１０  通信部
１２０  記憶部
１２１  板情報記憶部
１２２  板寄せ情報記憶部
１３０  制御部
１３１  要求部
１３２  取得部
１３３  判定部
１３４  決定部
１３５  失効部
１３６  配分部
１３７  送信部
２００  仮想通貨管理サーバ
２１０  通信部
２２０  注文情報記憶部
２３０  制御部
２３１  送信部
２３２  受信部
２３３  配分部
２３４  更新部
【図１】
2020047122.tif 000003
【図２】
2020047122.tif 000004
【図３】
2020047122.tif 000005
【図４】
2020047122.tif 000006
【図５】
2020047122.tif 000007
【図６】
2020047122.tif 000008
【図７】
2020047122.tif 000009
【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
仮想通貨の取引において、各価格の売り数量と買い数量とからなる板情報を取得する取得部と、
前記取得部によって取得された板情報が所定の条件を満たさない場合であって、ストップ配分方式に基づいて約定する価格を決定する場合には、当該ストップ配分後の成行残数量を失効させる決定部と、
を備えたことを特徴とする価格決定装置。
【請求項２】
仮想通貨の取引において、各価格の売り数量と買い数量とからなる板情報を取得する取得部と、
前記取引の参加者の人数が所定の人数を満たした場合には、当該所定の人数を満たしたタイミングにおける当該参加者の注文に基づいて前記数量を配分する配分部と、
前記配分部によって配分された前記数量以外の配分の注文を受け付けた場合には、時間優先の原則に基づいて約定する価格を決定する決定部と、
を備えたことを特徴とする価格決定装置。
【請求項３】
前記取得部は、
仮想通貨の取引所が定める所定のタイミングにおける前記板情報を取得する
ことを特徴とする請求項１または請求項２に記載の価格決定装置。
【請求項４】
前記決定部は、
前記取得部によって取得された板情報が所定の条件を満たす場合には、板寄せ方式により前記価格を決定する
ことを特徴とする請求項１〜３のいずれか一つに記載の価格決定装置。
【請求項５】
前記決定部は、
前記板情報の売り注文の価格と買い注文の価格とが交錯する場合には、前記価格を決定する
ことを特徴とする請求項４に記載の価格決定装置。
【請求項６】
前記取得部は、
寄りのタイミングにおける前記板情報を取得し、
前記決定部は、
前記寄りのタイミングにおける板情報が前記所定の条件を満たさない場合には、当該所定の条件を満たすタイミングまで前記価格の決定を待機する
ことを特徴とする請求項４または請求項５に記載の価格決定装置。
【請求項７】
前記取得部は、
引けのタイミングにおける前記板情報を取得し、
前記決定部は、
前記引けのタイミングにおける板情報が前記所定の条件を満たさない場合には、後場の注文受付に移行する
ことを特徴とする請求項４または請求項５に記載の価格決定装置。
【請求項８】
前記取得部は、
大引けのタイミングにおける前記板情報を取得し、
前記決定部は、
前記大引けのタイミングにおける板情報が前記所定の条件を満たさない場合には、ストップ配分方式に基づいて前記価格を決定する
ことを特徴とする請求項４または請求項５に記載の価格決定装置。
【請求項９】
前記取得部は、
サーキットブレーカー解除時における前記板情報を取得し、
前記決定部は、
前記サーキットブレーカー解除時における板情報が前記所定の条件を満たさない場合には、時間優先の原則に基づいて前記価格を決定する
ことを特徴とする請求項４または請求項５に記載の価格決定装置。
【請求項１０】
前記決定部は、
前記板寄せ方式として、同時呼値ルールに基づく配分方式に基づいて前記価格を決定する
ことを特徴とする請求項４または請求項５に記載の価格決定装置。
【請求項１１】
前記決定部は、
前記板寄せ方式として、時間優先の原則に基づく配分方式に基づいて前記価格を決定する
ことを特徴とする請求項４または請求項５に記載の価格決定装置。
【請求項１２】
前記決定部は、
前記取引の参加者ごとに前記数量を１単位ずつ配分する配分方式に基づいて前記価格を決定する
ことを特徴とする請求項１〜１１のいずれか一つに記載の価格決定装置。
【請求項１３】
コンピュータにより実行される価格決定方法であって、
仮想通貨の取引において、各価格の売り数量と買い数量とからなる板情報を取得する取得工程と、
前記取得工程によって取得された板情報が所定の条件を満たさない場合であって、ストップ配分方式に基づいて約定する価格を決定する場合には、当該ストップ配分後の成行残数量を失効させる決定工程と、
を含んだことを特徴とする価格決定方法。
【請求項１４】
仮想通貨の取引において、各価格の売り数量と買い数量とからなる板情報を取得する取得手順と、
前記取得手順によって取得された板情報が所定の条件を満たさない場合であって、ストップ配分方式に基づいて約定する価格を決定する場合には、当該ストップ配分後の成行残数量を失効させる決定手順と、
をコンピュータに実行させることを特徴とする価格決定プログラム。
【請求項１５】
コンピュータにより実行される価格決定方法であって、
仮想通貨の取引において、各価格の売り数量と買い数量とからなる板情報を取得する取得工程と、
前記取引の参加者の人数が所定の人数を満たした場合には、当該所定の人数を満たしたタイミングにおける当該参加者の注文に基づいて前記数量を配分する配分工程と、
前記配分工程によって配分された前記数量以外の配分の注文を受け付けた場合には、時間優先の原則に基づいて約定する価格を決定する決定工程と、
を含んだことを特徴とする価格決定方法。
【請求項１６】
仮想通貨の取引において、各価格の売り数量と買い数量とからなる板情報を取得する取得手順と、
前記取引の参加者の人数が所定の人数を満たした場合には、当該所定の人数を満たしたタイミングにおける当該参加者の注文に基づいて前記数量を配分する配分手順と、
前記配分手順によって配分された前記数量以外の配分の注文を受け付けた場合には、時間優先の原則に基づいて約定する価格を決定する決定手順と、
をコンピュータに実行させることを特徴とする価格決定プログラム。
【手続補正書】
【提出日】令和1年7月18日(2019.7.18)
【手続補正１】
【補正対象書類名】特許請求の範囲
【補正対象項目名】全文
【補正方法】変更
【補正の内容】
【特許請求の範囲】
【請求項１】
仮想通貨の先物取引において、各価格の売り数量と買い数量とからなる板情報を取得する取得部と、
前記取得部によって取得された板情報のうち大引けのタイミングにおける板情報が所定の条件を満たさない場合であって、ストップ配分方式に基づいて約定する価格を前記先物取引の精算価格に決定する場合には、当該ストップ配分後の成行残数量を失効させる決定部と、
を備えたことを特徴とする価格決定装置。
【請求項２】
仮想通貨の先物取引において、各価格の売り数量と買い数量とからなる板情報を取得する取得部と、
前記取引の参加者の人数が所定の人数を満たした場合には、当該所定の人数を満たしたタイミングにおける当該参加者の注文に基づいて前記数量を配分する配分部と、
前記配分部によって配分された前記数量以外の配分の注文を受け付けた場合には、時間優先の原則に基づいて約定する価格を決定する決定部と、
を備えたことを特徴とする価格決定装置。
【請求項３】
前記取得部は、
仮想通貨の取引所が定める所定のタイミングにおける前記板情報を取得する
ことを特徴とする請求項１または請求項２に記載の価格決定装置。
【請求項４】
前記決定部は、
前記取得部によって取得された板情報が所定の条件を満たす場合には、板寄せ方式により前記価格を決定する
ことを特徴とする請求項１〜３のいずれか一つに記載の価格決定装置。
【請求項５】
前記決定部は、
前記板情報の売り注文の価格と買い注文の価格とが交錯する場合には、前記価格を決定する
ことを特徴とする請求項４に記載の価格決定装置。
【請求項６】
前記取得部は、
寄りのタイミングにおける前記板情報を取得し、
前記決定部は、
前記寄りのタイミングにおける板情報が前記所定の条件を満たさない場合には、当該所定の条件を満たすタイミングまで前記価格の決定を待機する
ことを特徴とする請求項４または請求項５に記載の価格決定装置。
【請求項７】
前記取得部は、
引けのタイミングにおける前記板情報を取得し、
前記決定部は、
前記引けのタイミングにおける板情報が前記所定の条件を満たさない場合には、後場の注文受付に移行する
ことを特徴とする請求項４または請求項５に記載の価格決定装置。
【請求項８】
前記取得部は、
大引けのタイミングにおける前記板情報を取得し、
前記決定部は、
前記大引けのタイミングにおける板情報が前記所定の条件を満たさない場合には、ストップ配分方式に基づいて前記価格を決定する
ことを特徴とする請求項４または請求項５に記載の価格決定装置。
【請求項９】
前記取得部は、
サーキットブレーカー解除時における前記板情報を取得し、
前記決定部は、
前記サーキットブレーカー解除時における板情報が前記所定の条件を満たさない場合には、時間優先の原則に基づいて前記価格を決定する
ことを特徴とする請求項４または請求項５に記載の価格決定装置。
【請求項１０】
前記決定部は、
前記板寄せ方式として、同時呼値ルールに基づく配分方式に基づいて前記価格を決定する
ことを特徴とする請求項４または請求項５に記載の価格決定装置。
【請求項１１】
前記決定部は、
前記板寄せ方式として、時間優先の原則に基づく配分方式に基づいて前記価格を決定する
ことを特徴とする請求項４または請求項５に記載の価格決定装置。
【請求項１２】
前記決定部は、
前記取引の参加者ごとに前記数量を１単位ずつ配分する配分方式に基づいて前記価格を決定する
ことを特徴とする請求項１〜１１のいずれか一つに記載の価格決定装置。
【請求項１３】
コンピュータにより実行される価格決定方法であって、
仮想通貨の先物取引において、各価格の売り数量と買い数量とからなる板情報を取得する取得工程と、
前記取得工程によって取得された板情報のうち大引けのタイミングにおける板情報が所定の条件を満たさない場合であって、ストップ配分方式に基づいて約定する価格を前記先物取引の精算価格に決定する場合には、当該ストップ配分後の成行残数量を失効させる決定工程と、
を含んだことを特徴とする価格決定方法。
【請求項１４】
仮想通貨の先物取引において、各価格の売り数量と買い数量とからなる板情報を取得する取得手順と、
前記取得手順によって取得された板情報のうち大引けのタイミングにおける板情報が所定の条件を満たさない場合であって、ストップ配分方式に基づいて約定する価格を前記先物取引の精算価格に決定する場合には、当該ストップ配分後の成行残数量を失効させる決定手順と、
をコンピュータに実行させることを特徴とする価格決定プログラム。
【請求項１５】
コンピュータにより実行される価格決定方法であって、
仮想通貨の先物取引において、各価格の売り数量と買い数量とからなる板情報を取得する取得工程と、
前記取引の参加者の人数が所定の人数を満たした場合には、当該所定の人数を満たしたタイミングにおける当該参加者の注文に基づいて前記数量を配分する配分工程と、
前記配分工程によって配分された前記数量以外の配分の注文を受け付けた場合には、時間優先の原則に基づいて約定する価格を決定する決定工程と、
を含んだことを特徴とする価格決定方法。
【請求項１６】
仮想通貨の先物取引において、各価格の売り数量と買い数量とからなる板情報を取得する取得手順と、
前記取引の参加者の人数が所定の人数を満たした場合には、当該所定の人数を満たしたタイミングにおける当該参加者の注文に基づいて前記数量を配分する配分手順と、
前記配分手順によって配分された前記数量以外の配分の注文を受け付けた場合には、時間優先の原則に基づいて約定する価格を決定する決定手順と、
をコンピュータに実行させることを特徴とする価格決定プログラム。